(57)【要約】【課題】  鉄道システムにおいて、各列車における乗客の利便性（乗車利用率、乗車時間、乗車待ち時間）を考慮した電力削減量（電力消費量）を提供可能とする。【解決手段】  ダイヤ変更案の作成において、対象路線における列車の時刻及び車両数を含むダイヤ情報と、前記列車の運行区間における乗客数を示す乗客数情報を取得し前記ダイヤ情報のダイヤを変更した場合における前記列車の乗車率を算出し、前記ダイヤ情報のダイヤを変更した場合における前記電力量を算出し、前記乗車率と、前記電力量に基づいて、ダイヤ変更案と、そのときの電力量を作成することを特徴とする。【選択図】図１
2017132361.tif 000002
【特許請求の範囲】
【請求項１】
ダイヤ作成方法において、
情報処理装置の計算部が、
対象路線における列車の時刻及び車両数を含むダイヤ情報と、前記列車の運行区間における乗客数を示す乗客数情報を取得し、
前記ダイヤ情報のダイヤを変更した場合における前記列車の乗車率を算出し、
前記ダイヤ情報のダイヤを変更した場合における前記電力量を算出し、
前記乗車率と、前記電力量に基づいて、ダイヤ変更案と、そのときの電力量を作成する ことを特徴とするダイヤ作成方法。
【請求項２】
請求項１において、
前記乗客数は、予想または実測にかかる乗客数または乗車率を含むことを特徴とするダイヤ作成方法。
【請求項３】
請求項１において、
前記電力量は、前記ダイヤにおける列車の速度、列車の車両数に基づいて算出することを特徴とすることをダイヤ作成方法。
【請求項４】
請求項１において、
前記電力量は、時刻ごとに算出することを特徴とすることをダイヤ作成方法。
【請求項５】
請求項４において、
前記電力量における削減したい時刻を受け付け、
当該時刻における電力を削減するために、変更候補となる列車運行を抽出することを特徴とする ダイヤ作成方法。
【請求項６】
請求項１において、
前記乗客数は、乗客数の予想であり、
前記ダイヤの変更は、減車または減便であり、
指定された時間帯の電力が削減されるように前記減車または減便される列車を選択するともに、前記乗車率については前記指定された時間帯及び当該時間帯以外を考慮して、前記ダイヤ変更案および電力量を作成することを特徴とするダイヤ作成方法。
【請求項７】
請求項１において、
前記乗客数は、実測の乗客数または乗車率であり、
前記ダイヤの変更は、列車時刻または速度の変更であり、
運行中の列車も含むダイヤを変更することを特徴とするダイヤ作成方法。
【請求項８】
情報処理システムを有するダイヤ作成システムにおいて、
情報処理装置の計算部が、
対象路線における列車の時刻及び車両数を含むダイヤ情報と、前記列車の運行区間における乗客数を示す乗客数情報を取得し
前記ダイヤ情報のダイヤを変更した場合における前記列車の乗車率を算出し、
前記ダイヤ情報のダイヤを変更した場合における前記電力量を算出し、
前記乗車率と、前記電力量に基づいて、ダイヤ変更案と、そのときの電力量を作成することを特徴とするダイヤ作成システム。
【発明の詳細な説明】
【技術分野】
【０００１】
本発明は、鉄道システムにおいて、電力を考慮しながらダイヤを変更するダイヤ作成技術に関する。
【背景技術】
【０００２】
電力会社から企業施設や家庭に電気を供給する電力供給において、常に供給は需要を上回っていなければならず、需要が供給を越えてしまった場合には、その電力供給系統において一斉停電が起きることが危惧されている。そこで、一斉停電を回避するために、電力需要がひっ迫する時間帯において、大口需要家に、インセンティブと引き換えに使用電力を削減を依頼するＤＲ（デマンドレスポンス）を行うことが準備されつつある。
【０００３】
鉄道会社は電力を大量に使用する大口需要家であり、ＤＲの依頼先の候補である。ＤＲでは、電力削減量と削減時間を提示し、大口需要家は、それを実行可能かで諾否を電力供給者に回答する。例えば特許文献１では、運行ダイヤを変更することにより電力消費量を削減する計画を立てている技術を開示している。ここでは、複数の運行パターンを切り替え、駅設備の電力運用パターンと組み合わせ、電力の削減を行い、所定の電力量を超過しない技術が開示されている。
【先行技術文献】
【特許文献】
【０００４】
【特許文献１】特開2015-39956号公報
【発明の概要】
【発明が解決しようとする課題】
【０００５】
しかしながら、特許文献１において、運行ダイヤを複数パターン切り替え、列車本数を削減することで、電力消費を所定値以下にする発明であるが、利用者の利便性を考慮せずに列車本数を削減しているため、利用者にとっては不当に利便性が低下してしまうおそれがある。
【０００６】
本発明では、上記課題を考慮し、消費電力削減を提案する際、列車運行の列車パターンの変更（列車本数の削減）だけでなく、乗客の利便性（乗車利用率、乗車時間、乗車待ち時間）を考慮した列車制御を行い、かつ、列車編成数の変更、及びダイヤの再作成を行うことで、電力消費の削減を提供可能とする。
【課題を解決するための手段】
【０００７】
本発明では、上記課題を解決するために、ダイヤ作成において、対象路線における列車の時刻及び車両数を含むダイヤ情報と、列車の運行区間における乗客数を示す乗客数情報を取得し、ダイヤ情報のダイヤを変更した場合における列車の乗車率を算出し、ダイヤ情報のダイヤを変更した場合における電力量を算出し、乗車率と、電力量に基づいて、ダイヤ変更案と、そのときの電力量を作成する。
【発明の効果】
【０００８】
本発明によれば、ＤＲが発生した際、鉄道システムにおいて、各列車における乗客の利便性（乗車利用率、乗車時間、乗車待ち時間など）を考慮して電力削減したダイヤへ変更する技術を提供することが可能となる。
【図面の簡単な説明】
【０００９】
【図１】本発明の電力にかかるシステムの関係の概要図の一例である。
【図２】本発明にかかる電力管理システムの構成図の一例である。
【図３】本発明にかかるＤＲ回答時（ａ）と列車運行時（ｂ）のフローチャート一例である。
【図４】本発明にかかる列車ダイヤと乗車予想率テーブルの一例である。
【図５】本発明にかかる減車減便における予想乗車率テーブルの一例である。
【図６】本発明にかかる線区別減速割合テーブルの一例である。
【図７】本発明にかかる修正後列車ダイヤテーブルの一例である。
【図８】本発明にかかる電力消費予想値テーブルの一例である。
【図９】本発明にかかる減車減便変更案作成の詳細フローの一例である
【図１０】本発明にかかる減速変更案作成の詳細フローの一例である。
【図１１】本発明にかかる減速運行時の詳細フローの一例である。
【図１２】本発明にかかるＤＲ発令時の時間と電力消費の関係の図の一例である。
【発明を実施するための形態】
【００１０】
以下、図面を用いて本実施例の形態を説明する。
【実施例１】
【００１１】
図1は、電力管理システム概要図の一例である。
【００１２】
電力管理におけるシステムの関係の概要図には、電力管理システム１０１と列車運行管理システム１０２と電力会社１０３から構成される。電力管理システム１０１と運行管理システム１０２とは、鉄道会社に属している。
【００１３】
電力管理システム１０１は、鉄道システムで消費する電力消費量を管理する。すなわち、実際に消費した電力量データを把握するとともに、列車運行状況に応じた電力消費量のシミュレーション及び予測ができるシステムである。更に、列車制御に関する情報（例、ダイヤ図、列車制御情報、列車編成数）を、列車運行管理システム１０２へ提供することができる。
【００１４】
列車運行管理システム１０２は、列車運行ダイヤを基に信号等を制御して列車制御を行っており、列車状況を把握し、列車情報（消費電力、運行状況）を電力管理システム１０１へ送付している。更に、ＤＲの際、電力管理システム１０１から受けら列車制御に関する情報を基に列車を制御する。
【００１５】
電力会社１０３は、電気を鉄道会社に提供して、その対価を得ている。また、電力会社１０３は、消費電力が供給電力を上回ると予想される場合、大規模停電を回避するためにＤＲの発令を行うことができ、また、電力管理システム１０１から応答を受信できるシステムとなっている。DRによって、大口消費家に消費電力削減をその目標値とともに依頼するとともに、電力削減を達成した場合に、その報酬を支払う。
【００１６】
図２は、電力管理システムの構成図の一例である。
【００１７】
電力管理システム１０１は、ネットワーク部２０１に接続され、列車運行管理システム送受信部２０２と計算部（ＣＰＵ）２０３と列車走行シミュレータ２０４とＤＢ群２０５から構成されるシステムである。
【００１８】
列車運行管理システム送受信部２０２は、列車運行管理から列車運行状況や列車電力消費量をリアルタイムに受信している。（ここでリアルタイムとは、各種機器から取得タイミングで順次、送信されることを示す。）また、列車ダイヤ、列車編成数、列車制御情報
を列車運行管理システム１０２へ送信している。
【００１９】
計算部（ＣＰＵ）２０３は、DRを受け付けてそれに対する応答を行うDR応答部と、ダイヤ変更部と、電力消費量や乗車率を考慮し列車ダイヤを変更するダイヤ変更部と、消費電力をシミュレーションする電力消費シミュレーション部と、実際の消費電力を測定や集計を行う消費電力算出部とを備える。
【００２０】
ＤＢ群２０５は、列車ダイヤと予想乗車率２０６と、減車減便における予想乗車率２０７と、線区別減速割合２０８と修正後列車ダイヤと乗車予想率２０９と電力消費予想値２１０のデータテーブルを備える。テーブルの詳細や使用法については、以降のフローチャートで後述する。
【００２１】
図３は、ＤＲが発令された場合におけるフローチャートの一例であり、ＤＲ回答時と列車運行時のフローチャートが存在する。以後の説明を簡略化するために、ダイヤ作成や目標電力削減値との比較は路線ごとに行っているが、鉄道会社（またはその地区）ごとなど適宜適切な単位を選択して行ってよい。
【００２２】
まず、ＤＲ回答時のフローチャートについて説明する。
【００２３】
ＤＲ依頼を受信（S0101）において、電力会社からＤＲが発令され、鉄道会社（DR応答部）がＤＲ依頼を受信する。ＤＲには、消費電力を削減する依頼と、削減する電力量、時刻帯、報酬などが含まれている。
【００２４】
まずは、電力消費シミュレーション部は、鉄道会社で容易に削減できる電力を定めておき、電力削減量を計算する。例えば、駅や関連する商業施設の空調設定を変えたり、照明を少なくしたり、エスカレータ、エレベータの稼働を少なくしたりする。また、列車についても、空調や照明の設定を変え、ダイヤに影響しない範囲で消費電力を削減する計画を立てる。そして、削減できる電力量を計算する。電力削減量に満たなかった電力量を、列車運行のダイヤ変更により削減させる。
【００２５】
尚、DRが発令されるタイミングは、前日、1時間前、又は10分前を想定しているが、その限りではない。ＤＲ依頼受信したタイミングで、DR応答部は列車の減車減便による電力削減量目標と列車の減速による電力削減量目標を設定する。減車減便及び減速は一方のみ行ってもよく、その場合には後続する関連するステップを省略する。
【００２６】
次に、減車減便変更案作成（S0102）において、ダイヤ変更部は、ＤＲ依頼受信（S0101）で決定した減車減便による電力削減量に従うよう列車の減車減便案の作成を行い、修正後の列車ダイヤと乗車予想率２０９を作成する。減車減便変更案では、ダイヤにかかる列車の編成車両数を短くしたり、列車ダイヤを間引いた運転を行うことで、消費電力を削減する。尚、ＤＲ依頼受信から電力削減実施までの時間が短く減車減便が対応できない場合は、本ステップを省略し、次ステップに進む。減車減便変更案作成（S0102）の詳細については、図９において後述する。
【００２７】
次に、減速変更案作成（S0103）において、ダイヤ変更部は、ＤＲ依頼受信（S0101）で決定した減速による電力削減量に従うよう列車運行の減速変更案を作成し、修正後列車ダイヤと乗車予想率２０９を再作成する。減速変更案では、列車の速度(加速度、定速運転速度、減速度)を低くしたダイヤに変更することにより、消費電力を削減する。列車運行の減速変更案作成（S0103）の詳細については、後述する。
【００２８】
減車減便変更案作成（S0102）と減車減便変更案作成（S0102）は、同時に行っても、交互に複数回行ってもよい。
【００２９】
そして、DR応答部は、電力会社に、電力削減可否や削減量、時刻などを含むDR回答を返答する（S0104）。
【００３０】
次に列車運行時のフローチャートを説明する。
【００３１】
DR回答後に、変更後列車ダイヤと列車制御情報（減速運行方法）を列車運行管理システムへ通知する。そして、列車運行時は、減車減便したダイヤで運行するとともに、決められた電力削減量に従うよう減速ダイヤ運行（S0105）を行う。電力量や乗客数に応じて、減速ダイヤを調整しながら減速ダイヤ運行を行う。詳細については、図１１において、後述する。
【００３２】
次に、ＤＢ群について説明する。
【００３３】
図４は、列車ダイヤと予想乗車率テーブルの一例である。列車ダイヤと乗車予想率テーブル２０６は、列車の識別子である列車番号、列車の車両数を示す編成数、各駅の発時刻と駅間での乗車率予想を備えている。予想乗車率は、車両下の重量センサの計測値、駅や車両内のカメラ映像から解析した乗客数、乗車券利用データなどから推定した乗車実績データに、曜日や天候やイベントを考慮してビッグデータ分析により予想した予想乗車率であり、当日の乗車実績に基づいて随時更新してもよい。また、列車ダイヤについては、事故や故障などによって変更になった際には、変更後の最新のダイヤに維持され、予想乗車率が計算し直されるものとする。
【００３４】
図５は、減車減便における予想乗車率テーブルの一例である。減車減便における予想乗車率テーブル２０７は、列車について減車減便を行った際の全運行区間中の最大乗車率を示したテーブルである。このテーブルは、列車ダイヤと予想乗車率テーブルに基づいて作成される。この路線にかかる電車区では、１０両編成の列車と５両編成の列車が在籍しており、１０両（５両を２編成連結したものも含む）または５両で運行可能である。列車運行を間引いたところは、０両と記入している。尚、本テーブルは、省エネレベル１、２、３と3段階に対し、それぞれ編成数や列車間引きを予め割り当てているが、さらに細かくても良い。これは、予め減車減便ダイヤをレベルごとに定めておき、それに予想乗車率を当てはめ、最大乗車率が所定の基準値を超えず実際に適用可能であることを確認したものである。また、省エネレベルを設定せずに、その都度、編成車両数減車及びダイヤ減便を乗車率を計算しながら設定してもよい。
【００３５】
減車減便における予想乗車率テーブルは、減車減便変更案作成（S0102）において、決定された電力削減量と乗客予想率を考慮し、列車の減車減便案を作成するためのものである。
【００３６】
図６は、減速ダイヤ運行で用いる線区別減速割合テーブルの一例である。線区毎の優先度に対して、省エネレベルに応じた加速度・速度抑制割合を示したテーブルである。線区ごとに加速度・速度を抑制することより、利便性である到着時間が遅延する代わりに省電力化を行う。テーブルは、省エネレベル１、２、３と3段階であるが、さらに細かくても良い。また、その都度、予想または実際の乗車率に基づいて抑制割合を設定・調整してもよい。
【００３７】
図７は、修正前列車ダイヤテーブルと修正後列車ダイヤテーブルの一例である。列車ダイヤである。列車の減車減便並びに減速を行った際の変更箇所を網掛けしている。
列車番号202は、編成数を10両から5両へ減車した場合である。列車番号203は、編成数が10両から0両へ減便（間引き）した場合である。列車番号205は、減速した場合である。列車番号204は、減車並びに減速した場合である。列車の減車減便並びに減速を行った場合、いずれの場合も電力消費を抑えることができるが、乗車率が上がり、また、時刻が変更になり到達時間が延びる。すなわち、乗客の利便性が悪化と引き換えに電力を削減しており、DR発令の緊急事態に小さい影響で電力削減を行うことが求められる。
【００３８】
図８は、列車の減車減便並びに、列車の減速を行った際の電力消費予想値テーブルの一例である。本表は、各時間における電力消費を示している。列車ダイヤと予想乗車率２０９をもとに電力消費シミュレーション部において、列車運行時の消費電力をシミュレーションを行い全列車の消費電力を合計して作成する。
【００３９】
通常時及び、省エネレベル１、２、３で電力を削減した際の電力量を示した表である。省エネレベル１、２、３と3段階であるが、レベルごとでなく、変更案ごとでもよい。
【００４０】
以下、図３にて説明したフローを詳述する。
【００４１】
図９は、減車減便変更案作成の詳細フローの一例である。このフローは、DRを受信したときに行う。
【００４２】
DRが発令される消費電力のピークは、大口消費家である工場などの事業者が稼働する平日であり、空調の稼働が多くなる夏の日の昼間の暑い時刻帯に該当すると予測されている。この時間帯は乗客数は多くないため、減車減便を行いやすいが、夕方の列車まで減車減便してしまうと、夕方の帰宅ラッシュに影響が出てしまう。そこで、適切な時間帯、路線の列車において、消費電力の削減ダイヤを設定する必要がある。
【００４３】
まずは、ＤＲ対象時刻による減車候補列車特定（S0201）において、ＤＲ対象時刻に運行している列車を抽出する。例えば、１３時から１５時に対してＤＲが発令した場合、終着駅到着時刻が１３時以降の列車と、始発駅発車時刻が１５時以前の列車を抽出する。これらの列車が、１３時から１５時の間の少なくとも一部の時間にて電力を消費しており、すなわち減車減便を行う列車の候補となる。
【００４４】
次に乗車率による減車候補列車特定（S0202）において、乗車率の低い列車を抽出する。減車減便変更（S0203）において、列車の減車減便を行い、列車ダイヤ２０６を修正する。減車の場合には、その列車の乗車率を変更する（１０両から５両に変更の場合、乗車率は２倍になる）。減便の場合、その列車に乗るはずだった乗客は、後の列車に乗るものとして、予想乗車率を計算する。そして、修正後列車ダイヤと乗車予想率２０９を作成する。尚、減便時には、連続する２列車を間引いて列車間隔が大きくなる場合は減車を避けるように減便の列車を選択する。
【００４５】
電力計算（S0204）において、減車減便を行った後の全列車の電力の合計値を計算する。減車減便により削減した電力量という形で計算してもよい。電力消費シミュレーション部で列車運行における消費電力をシミュレーションすることができ、その結果を記録しておく。シミュレーションにおいて、車両形式、編成、加速度、巡航速度、減速度、運行線区の路線状態（勾配やカーブ）、乗車率などに応じて、消費電力を計算可能とする。減車減便においては、１０両編成の列車が５両編成に減車された場合には、消費電力は半減するが、消費電力は乗車率（重量）の影響を受けるため、乗車率が増加した分だけ消費電力が増加する。また、複数の車両形式が混在している路線の場合には、消費電力の小さい省エネ型の車両を優先して運行に組み込み、車両形式ごとの電力消費特性を考慮して消費電力を算出する。Ｓ０２０４においては、修正後列車ダイヤと乗車予想率２０９をもとに、対象路線の全列車の電力を合計することによって電力消費予想値２１０を作成する。
【００４６】
次に目標達成したか判断する（0205）。電力計算（S0204）で算出した電力消費量が電力削減目標を達成している場合、本フローチャートを終了である。本実施例においては、受信したDRの鉄道会社としての目標削減値を、路線ごとに振り分けているものとする。目標に達成していない場合、次（削減可能か判断（S0206））へ進む。さらに削減可能か判断（S0206）は、予想乗車率テーブルを見て判断し、に乗車率が所定値以上に高かったり、乗車率の低い列車が無かったり、車両運用都合で短い列車を準備できなくなった場合に、削減不可となる。更に電力削減が可能である場合は、（S0201）へ戻り、さらに減車減便を進める。削減が不可の場合（限界の場合）は、減車減便におけるダイヤ（車両運用計画）と電力削減量を出力して、本フローチャートを終了する。そして、他に減車減便シミュレーションを行っていない路線がある場合には、そちらの減車減便を行う。電力削減目標未達であっても、他の路線で電力削減できれば、鉄道会社としてDRに対応可能となる。
【００４７】
図１０は、減速変更案作成の詳細フローの一例である。減速変更案は、減車減便のように車両運用変更などで前もって準備しておくことが必要なく、DRから電力削減時間帯までの時間が短い場合や、電力削減中に消費電力を調整するのに適している。
【００４８】
減速路線特定（S0301）において、減速路線を抽出する。図６で示している通り、線区別に優先度をあらかじめ決めておき、優先度に応じた減速をおこなう。減速を行う路線、は次のような条件の路線が望ましい。１）駅間が短く加速減速が多い。減速による電力削減の効果が大きいからである。２）枝分かれがない路線で、列車種別が１つ（各駅停車）のみである。ダイヤが単純であり、行き先ごと、列車種別ごとの本数を考えないでよいからである。３）運行本数が多く、乗客の平均乗車距離が短い。減速運転によりダイヤが遅れがちになるが、本数が多いことで乗客は来た列車に乗ればよく、乗車距離が短いために、乗車時間が大きく延びる人が少ないからである。これらに該当する場合には、減速対象路線とするとともに、優先度を低くして積極的に電力削減する。該当していても重要な路線は優先度を高くしておき、できるだけ減速させないことが望ましい。
【００４９】
次に減速数値と削減電力を計算（S0302）において、減速値（抑制割合）を決定し、修正後列車ダイヤと乗車予想率２０９を作成する。予期性割合は、時刻ごとに変化させることも可能である。減速することで、駅を所定時間に停車する列車の数が減るため、乗車率は増加する。例えば減速により、ある駅の１時間当たりの列車本数が１２本から１０本になった場合、乗車率は１２/１０＝1.2倍になる。そして、修正後列車ダイヤと乗車予想率２０９とをもとに該当路線の全列車の電力を電力消費シミュレーション部が計算して合計することによって電力消費予想値２１０を作成する。
【００５０】
次に目標達成かどうかの判断（0303）において、減速数値と削減電力を計算（S0302）で算出した電力消費量が目標を達成している場合、減速変更案を作成して本フローチャートを終了する。目標に達成していない場合、次（さらに削減可か判断（S0304））へ進む。さらに削減可か判断（S0206）において、更に電力削減が可能である場合は、（S0301）へ戻る。削減が不可の場合（限界の場合）は、これまでに作成した減速策原案にて本フローチャートを終了する。
【００５１】
図１１は、減速運行時の詳細フローの一例である。ダイヤの減速変更は、列車運用等に変更が生じないため、運行中においても変更が可能であり、実際の消費電力をモニタリングしながら、抑制割合を変更することが可能である。
【００５２】
実際の列車運行（S0401）において、修正後列車ダイヤと乗車予想率２０９に従い、列車の減車減便及び減速ダイヤで列車運行を行う。その際、実際の電力消費量及び乗車率を取得し、電力削減計画と比較する。
【００５３】
また、減速変更対象路線のみではなく、鉄道会社全体としての消費電力を考慮してもよい。減速運転を行っている、鉄道会社全体の消費電力が、計画通りに削減しているか監視し、消費電力量の調整を、減速対象路線の抑制割合によって調整してもよい。
【００５４】
ダイヤ変更（S0402）において、その路線または全体の電力消費量と、乗車率とを考慮し列車運行を変更する。消費電力が予想より高く、電力削減量が不足する場合には、さらに減速したダイヤに変更し、さらに電力削減させる。
【００５５】
乗車率が高い場合は、更に減速運転を解除することにより、その路線の輸送力を高めて対応する。消費電力が予想より低く電力量に余裕がある場合には、減速運行を弱めるようにダイヤを変更する。
【００５６】
電力削減量不足しているかつ乗車率が高い場合は、他の路線を減速運転とする。
【００５７】
以上のように、減速運転により電力を削減する。リアルタイムで減速量を変更することで、急なDRや、運行中の電力調整にも対応することができる。なお、本案においては、列車の加速度や速度の指示が頻繁に変わるため、列車の運転席には、速度や加速度や操作指示などを細かく指示できる表示装置を設けて運転士を支援したり、自動運転にしたりするとよい。
【００５８】
以上のフローを行うことによって、乗客の利便性（乗車利用率、乗車時間、乗車待ち時間など）を考慮して、電力削減したダイヤへ変更し、そのダイヤを利用して運行することができる。
図１２に、ＤＲ発令時の各時間における電力消費図３００の一例を示す。この図は、横軸は時間で、縦軸は電力消費量を示している。ＤＲ時間帯は、長方形で囲んだ３０１の時間帯であり、ＤＲ時に電力消費要求量は、３０２としている。
その際、通常時の電力消費量３０３、省エネレベル１の電力消費量３０４、省エネレベル２の電力消費量３０５、省エネレベル３の電力消費量３０６を示している。
【００５９】
省エネレベル１〜３は、いずれも乗車率からみて実施に許容可能な乗客利便性で運行かのうとされた列車ダイヤである。この表から、通常時の電力消費量３０３、省エネレベル１の電力消費量３０４は、電力会社からのＤＲ電力消費要求量３０２を満たしていないことが分かる。省エネレベル２の電力消費量３０５と省エネレベル３の電力消費量３０６は、電力会社からのＤＲ電力消費要求量３０２を満たしている。
【００６０】
省エネレベル２の電力消費量３０５で十分であることから、省エネレベル３の電力消費量３０６は削減しすぎであり、乗客の利便性が低下しすぎていると判断できる。つまり、本発明によって、どの程度のダイヤ変更で電力会社が求めるＤＲ要求量を満たすかを計算することができ、本例においては省エネレベル２で節電すればよいことが分かる。
【符号の説明】
【００６１】
１０１  電力管理システム
１０２  列車運行管理システム 
１０３  電力会社
２０１  ネットワーク
２０２  列車運行管理システム送受信部 
２０３  計算部（ＣＰＵ） 
２０５  ＤＢ群
３００  ＤＲ発令時の時間単位における電力消費図
３０１  ＤＲ時間帯
３０２  ＤＲ要求量
３０３  通常時の電力消費量
３０４  省エネレベル１電力消費量 
３０５  省エネレベル２電力消費量 
３０５  省エネレベル３電力使用量
【図１】
2017132361.tif 000003
【図２】
2017132361.tif 000004
【図３】
2017132361.tif 000005
【図４】
2017132361.tif 000006
【図５】
2017132361.tif 000007
【図６】
2017132361.tif 000008
【図７】
2017132361.tif 000009
【図８】
2017132361.tif 000010
【図９】
2017132361.tif 000011
【図１０】
2017132361.tif 000012
【図１１】
2017132361.tif 000013
【図１２】
2017132361.tif 000014